(57)【要約】【目的】会場内にあるディジタル・カメラＡ〜Ｄで撮影された画像を共有する。【構成】一のディジタル・カメラにおいて，欲しい画像の画像情報が入力される。入力された画像情報が近距離無線によって通信範囲内にある他のディジタル・カメラに送信される。画像情報が受信された他のディジタル・カメラからさらに他のディジタル・カメラに画像情報が近距離無線により送信される。受信した画像情報に対応する画像データをもつディジタル・カメラから一のディジタル・カメラに，画像データが送信される。自分が撮影した画像でなく，他人が撮影した画像も取得することができる。【選択図】  図１
2004179920.tif 000002
【特許請求の範囲】
【請求項１】
画像の検索条件を入力する検索条件入力手段，
上記検索条件入力手段によって入力された検索条件を表すデータを所定範囲内に存在するディジタル・カメラに無線送信する無線送信手段，および
上記無線送信手段から無線送信された検索条件データに応じて，上記ディジタル・カメラにおいて検索された結果を表すデータを受信する受信手段，
を備えたディジタル・カメラ。
【請求項２】
上記受信手段によって受信される検索結果データが，上記検索条件入力手段から入力された検索条件に該当する画像データである，
請求項１に記載のディジタル・カメラ。
【請求項３】
上記受信手段によって受信される検索結果データが，上記検索条件入力手段から入力された検索条件に該当する画像データに関する画像情報を表す画像情報データであり，
上記画像情報データによって表される画像情報を報知する報知手段，
をさらに備えた請求項１に記載のディジタル・カメラ。
【請求項４】
上記報知手段によって報知された画像情報がサムネイル画像であり，
上記サムネイル画像の中から所望の画像を有するディジタル・カメラを選択する選択手段，および
上記選択手段によって選択されたディジタル・カメラにサムネイル画像に対応する本画像の画像データの送信指令を与える送信指令手段，
をさらに備えた請求項３に記載のディジタル・カメラ。
【請求項５】
所定範囲内に存在するディジタル・カメラから無線送信された検索条件を表すデータを受信する受信手段，
上記受信手段によって受信した検索条件データによって表される検索条件に該当する画像データを記憶しているかどうかを判定する判定手段，および
上記判定手段により，検索条件に該当する画像データを記憶していると判定したことに応答して，上記検索条件データを無線送信したディジタル・カメラに検索結果を表すデータを無線送信する無線送信手段，
を備えたディジタル・カメラ。
【請求項６】
上記無線送信によって送信される検索結果データが，上記検索条件入力手段から上記検索条件に該当する画像データである，
請求項５に記載のディジタル・カメラ。
【請求項７】
上記無線送信手段によって送信される検索結果データが，上記検索条件に該当する画像データに関する付属情報を表す付属情報データである，
請求項５に記載のディジタル・カメラ。
【請求項８】
上記付属情報が複数あり，
複数の付属情報の中から所望の付属情報を送信停止する停止手段をさらに備え，
上記停止手段によって送信停止された付属情報を除く付属情報を無線送信するものである，
請求項７に記載のディジタル・カメラ。
【請求項９】
送信要求に応答して，上記検索条件に該当する画像データを上記ディジタル・カメラに送信する請求項５に記載のディジタル・カメラ。
【請求項１０】
送信停止する画像データを決定する決定手段をさらに備え，上記決定手段によって決定された画像を除く画像を上記ディジタル・カメラに送信するものである，
請求項６または９に記載のディジタル・カメラ。
【請求項１１】
画像の検索条件を入力し，
入力された検索条件を表すデータを所定範囲内に存在するディジタル・カメラに無線送信し，
無線送信された検索条件データに応じて，上記ディジタル・カメラにおいて検索された結果を表すデータを受信する，
ディジタル・カメラの制御方法。
【請求項１２】
所定範囲内に存在するディジタル・カメラから無線送信された検索条件を表すデータを受信し，
受信した検索条件データによって表される検索条件に該当する画像データを記憶しているかどうかを判定し，
検索条件に該当する画像データを記憶していると判定したことに応答して，上記検索条件データを無線送信したディジタル・カメラに検索結果を表すデータを無線送信する，
ディジタル・カメラの制御方法。
【発明の詳細な説明】
【０００１】
【技術分野】
この発明は，ディジタル・カメラ（ディジタル・スチル・カメラ，ディジタル・ムービ・ビデオ・カメラ，携帯型情報機器にカメラの機能を持たせたものを含む）に関する。
【０００２】
【発明の背景】
パーティ会場やイベント会場などにおいてはディジタル・カメラを持ったお客が多数集まる。それぞれのお客が撮影した画像を表す画像データは，それぞれのお客がもつディジタル・カメラに記憶される。
【０００３】
ディジタル・カメラ同士で通信することができれば，撮影によって得られた画像をお客同士で共有することができる。このために，通信可能なディジタル・スチル・カメラが考えられている（例えば，特許文献１）。
【０００４】
【特許文献１】
特開平１１−３２２４５号公報
【０００５】
しかしながら，通信は，一対一であり，パーティ会場やイベント会場などのある範囲内にいるお客がそれぞれ撮影した画像を共有することはできない。
【０００６】
【発明の開示】
この発明は，所定範囲内にいるユーザが撮影した画像を共有することを目的とする。
【０００７】
第１の発明によるディジタル・カメラは，画像の検索条件を入力する検索条件入力手段，上記検索条件入力手段によって入力された検索条件を表すデータを所定範囲内に存在するディジタル・カメラに無線送信する無線送信手段，および上記無線送信手段から無線送信された検索条件データに応じて，上記ディジタル・カメラにおいて検索された結果を表すデータを受信する受信手段を備えていることを特徴とする。
【０００８】
第１の発明は，上記ディジタル・カメラに適した制御方法も提供している。すなわち，この方法は，画像の検索条件を入力し，入力された検索条件を表すデータを所定範囲内に存在するディジタル・カメラに無線送信し，無線送信された検索条件データに応じて，上記ディジタル・カメラにおいて検索された結果を表すデータを受信するものである。
【０００９】
第１の発明は，所定範囲内に存在するディジタル・カメラ（送信側ディジタル・カメラ）に対して画像データの送信を要求するディジタル・カメラ（検索側ディジタル・カメラ）についてのものである。
【００１０】
第１の発明によると，所望の画像を探し出すための検索条件が入力される。入力された検索条件を表すデータが，パーティ会場やイベント会場などの所定範囲内に存在する送信側ディジタル・カメラに無線送信される。
【００１１】
所定範囲内に存在する送信側ディジタル・カメラにおいて検索条件を表すデータが受信されると，その検索条件データによって表される検索条件に該当する画像データが検索される。検索結果を表すデータが，送信側ディジタル・カメラから検索側ディジタル・カメラに送信される。
【００１２】
検索側ディジタル・カメラにおいて検索結果を表すデータが受信される。
【００１３】
検索結果を表すデータは，たとえば，上記検索条件入力手段から入力された検索条件に該当する画像データである。画像データが要求側ディジタル・カメラにおいて受信されると，その受信した画像データを記憶することができるようになる。要求側ディジタル・カメラのユーザは，要求側ディジタル・カメラによって撮影した画像以外の画像を取得することができる。
【００１４】
上記受信手段によって受信される検索結果データは，上記検索条件入力手段から入力された検索条件に該当する画像データに関する画像情報を表す画像情報データ（サムネイル画像データを含む）であってもよい。この場合，上記画像情報データによって表される画像情報を報知する報知手段をさらに備えることとなろう。
【００１５】
要求側ディジタル・カメラのユーザは，画像情報が分かるので，その画像情報に対応する画像データが必要かどうかを判断することができる。
【００１６】
上記報知手段によって報知された画像情報の中から所望の画像を有するディジタル・カメラを選択する選択手段，および上記選択手段によって選択されたディジタル・カメラに画像データの送信指令を与える送信指令手段をさらに備えるようにしてもよい。
【００１７】
所望の画像を有するディジタル・カメラを選択することにより，その画像を表す画像データを記憶している送信側ディジタル・カメラ（画像を撮影した送信側ディジタル・カメラ）に画像データの送信を要求することができる。必要な画像データを取得することができる。
【００１８】
第２の発明によるディジタル・カメラは，上述した送信側ディジタル・カメラについてのものである。
【００１９】
第２の発明によるディジタル・カメラは，所定範囲内に存在するディジタル・カメラから無線送信された検索条件を表すデータを受信する受信手段，上記受信手段によって受信した検索条件データによって表される検索条件に該当する画像データを記憶しているかどうかを判定する判定手段，および上記判定手段により，検索条件に該当する画像データを記憶していると判定したことに応答して，上記検索条件データを無線送信したディジタル・カメラに検索結果を表すデータを無線送信する無線送信手段を備えていることを特徴とする。
【００２０】
第２の発明は，上述したディジタル・カメラに適した制御方法も提供している。すなわち，この方法は，所定範囲内に存在するディジタル・カメラから無線送信された検索条件を表すデータを受信し，受信した検索条件データによって表される検索条件に該当する画像データを記憶しているかどうかを判定し，検索条件に該当する画像データを記憶していると判定したことに応答して，上記検索条件データを無線送信したディジタル・カメラに検索結果を表すデータを無線送信するものである。
【００２１】
第２の発明によると，上述したように検索側ディジタル・カメラから送信された検索条件データが受信される。すると，検索条件データによって表される検索条件に合う画像データが記憶しているかどうかが判定される。記憶していると判定されると，検索結果を表すデータが検索側ディジタル・カメラに無線通信される。上述したように，検索側ディジタル・カメラにおいて，応答側ディジタル・カメラにおいて撮影された画像を表す画像データが得られる。
【００２２】
上述したように，上記無線送信によって送信される検索結果データは，上記検索条件入力手段から上記検索条件に該当する画像データ，上記検索条件に該当する画像データに関する付属情報を表す付属情報データなどでもよい。
【００２３】
上記付属情報が複数ある場合には，複数の付属情報の中から所望の付属情報を送信停止する停止手段をさらに備えるようにしてもよい。この場合，上記停止手段によって送信停止された付属情報を除く付属情報を無線送信するものとなろう。
【００２４】
送信側ディジタル・カメラのユーザにとって好ましくない付属情報が送信されてしまうことを未然に防止できる。
【００２５】
送信要求に応答して，上記検索条件に該当する画像データを上記ディジタル・カメラに送信することが好ましい。
【００２６】
送信停止する画像データを決定する決定手段をさらに備えるようにしてもよい。この場合，上記決定手段によって決定された画像を除く画像を上記ディジタル・カメラに送信するものとなろう。
【００２７】
上記決定手段は，撮影位置，撮影成否，被写体距離，シャッタ・スピード，レンズの種類，焦点距離，画素数，感度，カメラ種類，撮影者の技術，撮影時間等にもとづいて送信停止する画像データかどうかを決定することができる。失敗した画像など好ましくない画像を表す画像データが送信されてしまうことを未然に防止できる。
【００２８】
【実施例の説明】
図１は，この発明の実施例を示すもので，画像共有システムの概要を示している。
【００２９】
画像共有システムは，所定の会場（パーティ会場，イベント会場など）内において撮影された画像を，その会場内にいるユーザ同士で共有するものである。
【００３０】
ディジタル・カメラＡ，Ｂ，ＣおよびＤが図示されている（もっと多数のディジタル・カメラが会場内にあるのはいうまでもないが，便宜上４つのディジタル・カメラＡ，Ｂ，ＣおよびＤを想定している。）。これらの４つのディジタル・カメラＡ，Ｂ，ＣおよびＤは互いに近距離無線（たとえば，２．４ＧＨｚの帯域を用いる無線伝送方式）の通信インターフェイスを備えており，互いに近距離無線の範囲内にあれば通信可能である。
【００３１】
詳しくは，後述するようにディジタル・カメラを持ったユーザが会場内に入るときに，この実施例による画像共有システムを利用するためのＰＩＮコードが，会場内に入ったユーザに共通に付与される。ＰＩＮ（パーソナル・アイデンティファイ・ナンバ）コードが付与された一のディジタル・カメラを用いて撮影された画像を表す画像データが，他のディジタル・カメラに送信される。あるユーザが撮影した画像だけでなく，他のユーザが撮影した画像を得ることができる。たとえば，被写体を違う角度から撮影した画像を得ることができる。
【００３２】
図２は，ディジタル・カメラＡ（他のディジタル・カメラも同様の構成を有している）の電気的構成を示すブロック図である。
【００３３】
ディジタル・カメラの動作は，ＣＰＵ７によって統括される。また，ディジタル・カメラのメモリ３には，カメラに固有のカメラＩＤが記憶されている。
【００３４】
キー類４に含まれるモード・スイッチによりモード設定ができる。通常撮影モード，共有撮影モード，画像検索モード，再生モードなどを設定することができる。
【００３５】
通常撮影モードが設定されると，カメラ装置１によって被写体が撮像され，被写体像を表す画像データが得られる。画像データは，ディスプレイ・コントローラ６によって液晶表示装置５に与えられる。液晶表示装置５の表示画面上に，撮影によって得られた画像データにより表される画像が表示される。
【００３６】
キー類４に含まれるシャッタ・レリーズ・ボタンが押されると，カメラ装置１から出力された画像データは，メモリ３に与えられ，一時的に記憶される。画像データは，メモリ３から読み出され，圧縮／伸長回路２において圧縮される。圧縮された画像データがメモリ・カード８に与えられ，記録される。
【００３７】
共有撮影モードが設定されると，通常撮影モードと同じように撮影によって得られた画像データにより表される画像は液晶表示装置５の表示画面上に表示される。シャッタ・レリーズ・ボタンが押されると，通常撮影モードと同じように，メモリ・カード８に記録されるが，メモリ３にも記憶される。メモリ３に記憶された画像データは，近距離無線インターフェイス９によって他のディジタル・カメラＢ，ＣおよびＤに無線送信される。
【００３８】
画像検索モードが設定されると，液晶表示装置５の表示画面には探し出したい画像の情報を指定するためのメニューが表示される。表示されたメニューの中から画像の情報がキー類４を用いて指定される。指定された画像情報（後述する希望画像情報）が近距離無線インターフェイス９から他のディジタル・カメラに送信される。希望画像情報は，他のディジタル・カメラからさらにそのほかのディジタル・カメラに近距離通信によって無線送信される。希望画像情報を受信したディジタル・カメラにおいて，希望画像情報に該当する画像データが検索により見つけられる。見つけられた画像データが希望画像情報を入力したディジタル・カメラに送信される。
【００３９】
再生モードが設定されると，メモリ・カード８に記録されている圧縮画像データが読み出される。読み出された圧縮画像データは，圧縮／伸長回路２において伸長される。伸長された画像データがディスプレイ・コントローラ６に与えられる。液晶表示装置５の表示画面上に，メモリ・カード８から読み出された画像データによって表される画像が表示される。
【００４０】
図３は，会場内に持ち込まれたディジタル・カメラの初期設定を示すフローチャートである。
【００４１】
以下，ディジタル・カメラ同士の通信は近距離通信によって行われる。
【００４２】
ディジタル・カメラを持ったユーザが会場内に入るときに，ＰＩＮコードが教えられる。ユーザによって共有撮影モードに設定される。すると，ディジタル・スチル・カメラの表示装置５の表示画面上には，ＰＩＮコード入力画像が表示される。表示されたＰＩＮコード入力画像にしたがって，キー類４を用いて，会場入場時に教えられたＰＩＮコードが入力される（ステップ１１）。
【００４３】
入力されたＰＩＮコードは，メモリ３に記憶される（ステップ１２）。
【００４４】
図４は，ディジタル・カメラを用いて撮影するときの処理手順を示すフローチャートである。
【００４５】
上述のように，シャッタ・レリーズ・ボタンが押されると，被写体像を表す画像データは，メモリ・カード８に与えられ，記録される（ステップ２１）。
【００４６】
この実施例においては，撮影が成功したコンピュータ画像が他のディジタル・カメラに送信する対象の画像となる。このために，撮影が成功したかどうかが確認される（ステップ２２）。撮影が成功したかどうかは，撮影した画像を表示してユーザが目視により確認してもよいし，ディジタル・カメラのが自動的に判断してもよい。たとえば，撮影により得られた画像の輝度が所定レベル以下または以上の場合などは撮影が失敗したものと判断されるであろう。
【００４７】
撮影が成功したと判断されると（ステップ２２でＹＥＳ），撮影によって得られた画像データはメモリ・カード８から読み出され，メモリ３に記憶される（ステップ２３）。メモリ３に記憶された画像データ（本画像データという）は，メモリ３から読み出されＣＰＵ７によってサムネイル画像データが生成される。生成されたサムネイル画像データは，メモリ３に与えられ，記憶される（ステップ２４）。メモリ３には，本画像データとサムネイル画像データとが対応して記憶されることとなる。
【００４８】
図５から図８は，所望の画像を見つける処理手順を示すフローチャートである。
【００４９】
会場内にあるディジタル・カメラのうち，他のディジタル・カメラによって撮影された画像を探すディジタル・カメラを検索側ディジタル・カメラということにする。この検索側ディジタル・カメラの処理手順を示すフローチャートは，図５および図６である。検索側ディジタル・カメラは画像検索モードに設定される。
【００５０】
また，検索側ディジタル・カメラからの要求に応じて画像を見つけ，検索側ディジタル・カメラに画像データを送信するディジタル・カメラを送信側ディジタル・カメラということにする。この送信側ディジタル・カメラの処理手順を示すフローチャートは，図７および図８である。送信側ディジタル・カメラは画像共有モードに設定される。
【００５１】
ディジタル・カメラＡ，Ｂ，ＣおよびＤのうち，特定のディジタル・カメラが常に検索側ディジタル・カメラまたは送信側ディジタル・カメラというものでなく，所望の画像を探すカメラが検索側ディジタル・カメラであり，検索側ディジタル・カメラからの要求に応じて画像データを送信するカメラが送信側ディジタル・カメラである。一のディジタル・カメラが検索側ディジタル・カメラになることもあるし，送信側ディジタル・カメラにもなる。
【００５２】
他のディジタル・カメラにおいて撮影された画像を探すときには，上述したように検索側ディジタル・カメラは，画像検索モードに設定される。すると，検索側ディジタル・カメラの表示装置の表示画面には希望画像情報入力画像が表示される。この表示にしたがって，検索側ディジタル・カメラのユーザが希望する画像の情報（撮影時刻，画角，画素数などがキー類から入力される（図５ステップ３１）。入力した希望画像情報ならびにメモリに記憶されているＰＩＮコードおよびカメラＩＤ（検索側ディジタル・カメラのカメラＩＤを検索側カメラＩＤということにする）が検索側ディジタル・カメラから近距離無線の通信範囲内にある送信側ディジタル・カメラに無線送信される（図５ステップ３２）。
【００５３】
送信側ディジタル・カメラには，上述のようにして撮影された画像を表す本画像データおよびサムネイル画像データがメモリに記憶されている。これらの画像データには，画像が得られたときの情報（撮影者名，カメラ機種名などの付属情報）が付加されている。この実施例においては，画像データに付随して付属情報も送信されるが，付属情報のうち送信したくない付属情報を削除して，送信することができる。このために送信したくない付属情報があらかじめ入力される（図７ステップ５１）。
【００５４】
検索側ディジタル・カメラから送信された希望画像情報，ＰＩＮコードおよび検索側カメラＩＤが送信側ディジタル・カメラにおいて受信されると（図７ステップ５２でＮＯ），その受信した希望画像情報，ＰＩＮコードおよび検索側カメラＩＤが近距離無線の通信範囲内にある送信側ディジタル・カメラにさらに送信される（図７ステップ５３）。希望画像情報，ＰＩＮコードおよび検索側カメラＩＤを受信した送信側ディジタル・カメラは，さらにその他の送信側ディジタル・カメラに，受信した希望画像情報等を送信する。このようにして，多数の送信側ディジタル・カメラに希望画像情報等が順々にリレー方式によって送信されていく。
【００５５】
送信側ディジタル・カメラにおいては，受信したＰＩＮコードと初期設定においてすでにメモリに記憶されているＰＩＮコードとが一致するかどうかが確認される（図７ステップ５４）。一致すれば（図７ステップ５４でＹＥＳ），画像の共有対象のディジタル・カメラと判断される。不一致であれば（図７ステップ５４でＮＯ），初期設定が済んでいないのでエラーとなり画像の共有はできないこととなる。
【００５６】
ＰＩＮコードが一致した場合には，受信した希望画像情報にもとづいて対応するサムネイル画像データがメモリ内において検索される（図７ステップ５５）。すなわち，希望画像情報に近い付属情報をもつサムネイル画像データが見つけられる。希望画像情報に対応するサムネイル画像データがメモリ内に記憶されていると（図７ステップ５６），サムネイル画像データ，付属情報，受信した検索側カメラＩＤおよび送信側カメラＩＤが近距離無線通信範囲内にあるすべてのディジタル・カメラに送信される（図７ステップ５７）。送信される付属情報は，上述のように送信したくないものについては削除されているのはいうまでもない。
【００５７】
送信側ディジタル・カメラから送信されたサムネイル画像データ，付属情報，検索側カメラＩＤおよび送信側カメラＩＤが受信されると（図５ステップ３３でＹＥＳ），メモリに記憶されている検索側カメラＩＤと受信した検索側カメラＩＤとが一致するかどうかが確認される（図５ステップ３４）。一致すると，自分宛に送信されたサムネイル画像データ等であると判断される。受信したサムネイル画像データによって表されるサムネイル画像および画像情報が表示装置の表示画面上に表示される（図５ステップ３５）。一の送信側ディジタル・カメラからだけでなく，他の複数の送信側ディジタル・カメラからも同様にしてサムネイル画像データ等が送信され，検索側ディジタル・カメラにおいて受信される。検索側ディジタル・カメラの表示装置の表示画面上には多数のサムネイル画像および画像情報が表示されることとなる。
【００５８】
検索側ディジタル・カメラのユーザによって，表示装置の表示画面上に表示された多数のサムネイル画像の中から所望の画像に対応するサムネイル画像が選択される（図６ステップ３６）。選択されたサムネイル画像の本画像要求，ＰＩＮコード，検索側カメラＩＤおよび送信側カメラＩＤが近距離無線通信範囲内にあるディジタル・カメラに送信される（図６ステップ３７）。
【００５９】
検索側ディジタル・カメラから送信された本画像要求，ＰＩＮコード，検索側カメラＩＤおよび送信側カメラＩＤが受信されると（図８ステップ５８でＹＥＳ），ＰＩＮコードおよび送信側カメラＩＤが一致したかどうかが確認される（ステップ５８および５９でＹＥＳ）。ＰＩＮコードが一致することにより，画像共有対象からの本画像の送信要求であることが確認される。また，送信側カメラＩＤが一致することにより，自分宛の本画像送信要求であることが分かる。対応する本画像データ，ＰＩＮコードおよび検索側カメラＩＤが送信側ディジタル・カメラから検索側ディジタル・カメラに送信される（図８ステップ６１）。
【００６０】
検索側ディジタル・カメラにおいて，送信側ディジタル・カメラから送信された本画像データ，ＰＩＮコードおよび検索側カメラＩＤが受信されると（図６ステップ３８でＹＥＳ），ＰＩＮコードが一致するか（図６ステップ３９でＹＥＳ），検索側カメラＩＤが一致するか（図６ステップ４０でＹＥＳ）が確認される。ＰＩＮコードが一致することにより，画像共有対象のディジタル・カメラから送信された本画像データ等であることが分かり，検索側カメラＩＤが一致すれば自分宛の本画像データ等であることが分かる。受信した本画像データがメモリに記憶され，その本画像データによって表される本画像が表示装置の表示画面上に表示される（図６ステップ４１）。必要であれば，メモリ・カードに記録されることとなろう。
【００６１】
自分が撮影した画像だけでなく，他人が撮影した画像も取得することができる。
【００６２】
上述した実施例においては，本画像データはメモリに格納されており，このメモリに格納されている本画像データが要求に応じて検索側ディジタル・カメラに送信されているが，メモリに格納されていずにメモリ・カードに記録されている本画像データを読み出して送信するようにしてもよい。
【００６３】
また，上述したた実施例においては，送信側ディジタル・カメラから検索側ディジタル・カメラに本画像データ等を直接送信するようにしているが，送信側ディジタル・カメラから他のディジタル・カメラを介して検索側ディジタル・カメラに送信するようにしてもよい。
【図面の簡単な説明】
【図１】画像共有システムの概要を示している。
【図２】ディジタル・カメラの電気的構成を示すブロック図である。
【図３】初期設定を示すフローチャートである。
【図４】撮影処理を示すフローチャートである。
【図５】検索側ディジタル・カメラの処理手順の一部を示すフローチャートである。
【図６】検索側ディジタル・カメラの処理手順の一部を示すフローチャートである。
【図７】送信側ディジタル・カメラの処理手順の一部を示すフローチャートである。
【図８】送信側ディジタル・カメラの処理手順の一部を示すフローチャートである。
【符号の説明】
１  カメラ装置
３  メモリ
４  キー類
５  液晶表示装置
６  ディスプレイ・コントローラ
７  ＣＰＵ
８  メモリ・カード
９  近距離無線インターフェイス
Ａ，Ｂ，Ｃ，Ｄ  ディジタル・カメラ
【図１】
2004179920.tif 000003
【図２】
2004179920.tif 000004
【図３】
2004179920.tif 000005
【図４】
2004179920.tif 000006
【図５】
2004179920.tif 000007
【図６】
2004179920.tif 000008
【図７】
2004179920.tif 000009
【図８】
2004179920.tif 000010